(57)【要約】【課題】スモールセルを管理する無線基地局ＰｈＮＢの追加時又は削除時に、データロス無しで、移動局ＵＥのユーザデータの伝送経路を変更する。【解決手段】本発明に係る移動通信方法は、移動局ＵＥが無線基地局ｅＮＢ配下のマクロセルにおいて通信中である場合に、移動局ＵＥが存在する位置を含むカバレッジを有するスモールセルを管理する無線基地局ＰｈＮＢが移動局ＵＥのユーザデータの伝送経路として選択される場合、無線基地局ｅＮＢが、移動局ＵＥのユーザデータの伝送経路上への無線基地局ＰｈＮＢの追加処理を開始する工程と、無線基地局ｅＮＢが、かかる追加処理において、無線基地局ＰｈＮＢに対して、シーケンス番号の管理情報を通知する工程と、無線基地局ＰｈＮＢが、かかる追加処理において、ヘッダ圧縮に係る情報及びセキュリティの設定情報をリセットする工程とを有する。【選択図】図３
2014068128.tif 000002
【特許請求の範囲】
【請求項１】
移動局が第１無線基地局配下のマクロセルにおいて通信中である場合に、該移動局が存在する位置を含むカバレッジを有するスモールセルを管理する第２無線基地局が該移動局のユーザデータの伝送経路として選択される場合、該第１無線基地局が、該移動局のユーザデータの伝送経路上への該第２無線基地局の追加処理を開始する工程と、
前記第１無線基地局が、前記追加処理において、前記第２無線基地局に対して、シーケンス番号の管理情報を通知する工程と、
前記第２無線基地局が、前記追加処理において、ヘッダ圧縮に係る情報及びセキュリティの設定情報をリセットする工程とを有することを特徴とする移動通信方法。
【請求項２】
前記第１無線基地局は、前記追加処理を開始する際に、前記移動局宛ての下りユーザデータの該移動局に対する送信を停止し、
前記移動局は、前記第１無線基地局からのコネクション設定信号の受信に応じて、該第１無線基地局に対する上りユーザデータの送信を停止することを特徴とする請求項１に記載の移動通信方法。
【請求項３】
移動局のユーザデータの伝送経路上に、マクロセルを管理する第１無線基地局及び該移動局が存在する位置を含むカバレッジを有するスモールセルを管理する第２無線基地局が含まれており、該移動局が該スモールセルにおいて通信中である場合に、該第２無線基地局が該移動局のユーザデータの伝送経路として利用されなくなる場合、前記第１無線基地局が、該移動局のユーザデータの伝送経路からの該第２無線基地局の削除処理を開始する工程と、
前記第２無線基地局が、前記削除処理において、前記第１無線基地局に対して、シーケンス番号の管理情報を通知する工程と、
前記第１無線基地局が、前記削除処理において、ヘッダ圧縮に係る情報及びセキュリティの設定情報をリセットする工程とを有することを特徴とする移動通信方法。
【請求項４】
前記第１無線基地局は、前記削除処理を開始する際に、前記移動局宛ての下りユーザデータの前記第２無線基地局に対する転送を停止し、
前記移動局は、前記第１無線基地局からのコネクション設定信号の受信に応じて、該第２無線基地局に対する上りユーザデータの送信を停止することを特徴とする請求項３に記載の移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式において、伝搬特性に劣る高周波数（３.５ＧＨｚ以上) の有効利用及び広帯域性を活用した高速大容量通信の実現を目的として、スモールセル（或いは、ファントムセル）の導入が検討されている。
【先行技術文献】
【非特許文献】
【０００３】
【非特許文献１】３ＧＰＰ  ＴＳ３６.３００
【発明の概要】
【発明が解決しようとする課題】
【０００４】
かかるスモールセルを管理する無線基地局ＰｈＮＢは、マクロセルを管理する無線基地局ｅＮＢと比べると、ＲＲＣ（Ｒａｄｉｏ  Ｒｅｓｏｕｒｃｅ  Ｃｏｎｔｒｏｌ）レイヤ機能を具備していない等、機能的に限定されている。
【０００５】
かかる点を考慮して、移動局ＵＥが、スモールセルにおいて通信中である場合であっても、無線基地局ｅＮＢを経由させて、移動局ＵＥのユーザデータ（Ｕ-ｐｌａｎｅデータ）を伝送する方法の導入が検討されている。
【０００６】
しかしながら、既存のＬＴＥ方式では、移動局ＵＥがマクロセルにおいて通信中である場合、どのような方法で、移動局ＵＥのユーザデータの伝送経路上に無線基地局ＰｈＮＢを追加するべきかについて検討されていないという問題点があった。
【０００７】
同様に、既存のＬＴＥ方式では、移動局ＵＥがスモールセルにおいて通信中である場合に、どのような方法で、移動局ＵＥのユーザデータの伝送経路から、かかるスモールセルを管理する無線基地局ＰｈＮＢを削除するべきかについて検討されていないという問題点があった。
【０００８】
そこで、本発明は、上述の課題に鑑みてなされたものであり、スモールセルを管理する無線基地局ＰｈＮＢの追加時或いは削除時に、無線基地局ｅＮＢ及び無線基地局ＰｈＮＢの機能を複雑にすること無く、データロス無しで、移動局ＵＥのユーザデータの伝送経路を変更することができる移動通信方法を提供することを目的とする。
【課題を解決するための手段】
【０００９】
本発明の第１の特徴は、移動通信方法であって、移動局が第１無線基地局配下のマクロセルにおいて通信中である場合に、該移動局が存在する位置を含むカバレッジを有するスモールセルを管理する第２無線基地局が該移動局のユーザデータの伝送経路として選択される場合、該第１無線基地局が、該移動局のユーザデータの伝送経路上への該第２無線基地局の追加処理を開始する工程と、前記第１無線基地局が、前記追加処理において、前記第２無線基地局に対して、シーケンス番号の管理情報を通知する工程と、前記第２無線基地局が、前記追加処理において、ヘッダ圧縮に係る情報及びセキュリティの設定情報をリセットする工程とを有することを要旨とする。
【００１０】
本発明の第２の特徴は、移動通信方法であって、移動局のユーザデータの伝送経路上に、マクロセルを管理する第１無線基地局及び該移動局が存在する位置を含むカバレッジを有するスモールセルを管理する第２無線基地局が含まれており、該移動局が該スモールセルにおいて通信中である場合に、該第２無線基地局が該移動局のユーザデータの伝送経路として利用されなくなる場合、前記第１無線基地局が、該移動局のユーザデータの伝送経路からの該第２無線基地局の削除処理を開始する工程と、前記第２無線基地局が、前記削除処理において、前記第１無線基地局に対して、シーケンス番号の管理情報を通知する工程と、前記第１無線基地局が、前記削除処理において、ヘッダ圧縮に係る情報及びセキュリティの設定情報をリセットする工程とを有することを要旨とする。
【発明の効果】
【００１１】
以上説明したように、本発明によれば、スモールセルを管理する無線基地局ＰｈＮＢの追加時或いは削除時に、無線基地局ｅＮＢ及び無線基地局ＰｈＮＢの機能を複雑にすること無く、データロス無しで、移動局ＵＥのユーザデータの伝送経路を変更することができる移動通信方法を提供することができる。
【図面の簡単な説明】
【００１２】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動通信システムの動作を示すシーケンス図である。
【図４】本発明の第１の実施形態に係る移動通信システムの動作を示すシーケンス図である。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、ＬＴＥ方式の移動通信システムであって、ゲートウェイ装置Ｐ-ＧＷ（ＰＤＮ  Ｇａｔｅｗｅｙ）/Ｓ-ＧＷ（Ｓｅｒｖｉｎｇ  Ｇａｔｅｗａｙ）と、移動管理ノードＭＭＥ（Ｍｏｂｉｌｉｔｙ  Ｍａｎａｇｅｍｅｎｔ  Ｅｎｔｉｔｙ）と、スモールセルを管理する無線基地局ＰｈＮＢと、マクロセルを管理する無線基地局ｅＮＢとを具備している。
【００１５】
ここで、マクロセルのカバレッジエリア及びスモールセルのカバレッジエリアは、少なくとも一部で重なるように配置されている。
【００１６】
図１に示すように、移動局ＵＥが無線基地局ｅＮＢ配下のマクロセルにおいて通信中である場合に、移動局ＵＥが存在する位置を含むカバレッジを有するスモールセルを管理する無線基地局ＰｈＮＢが移動局ＵＥのユーザデータの伝送経路として選択されると、移動局ＵＥのユーザデータは、ゲートウェイ装置Ｓ-ＧＷと無線基地局ｅＮＢとの間で設定されるＵ-ｐｌａｎｅベアラ、無線基地局ｅＮＢと無線基地局ＰｈＮＢとの間で設定されるＵ-ｐｌａｎｅベアラ、及び、無線基地局ＰｈＮＢと移動局ＵＥとの間で設定されるＵ-ｐｌａｎｅベアラを経由して伝送されるようになる。
【００１７】
すなわち、かかる場合、移動局ＵＥのユーザデータの伝送経路が、ゲートウェイ装置Ｓ-ＧＷ←→無線基地局ｅＮＢ←→移動局ＵＥという経路から、ゲートウェイ装置Ｓ-ＧＷ←→無線基地局ｅＮＢ←→無線基地局ＰｈＮＢ←→移動局ＵＥという経路に変更になる。
【００１８】
例えば、無線基地局ＰｈＮＢのカバレッジエリアが、無線基地局ｅＮＢのカバレッジエリア内に含まれ、かつ、移動局ＵＥが存在する位置が、無線基地局ＰｈＮＢのカバレッジエリア内に含まれる状態になった場合に、無線基地局ＰｈＮＢが、移動局ＵＥのユーザデータの伝送経路として選択されるものとする。
【００１９】
一方、図１に示すように、移動局ＵＥが無線基地局ＰｈＮＢ配下のスモールセルにおいて通信中である場合に、無線基地局ＰｈＮＢが移動局ＵＥのユーザデータの伝送経路として利用されなくなると、移動局ＵＥのユーザデータは、ゲートウェイ装置Ｓ-ＧＷと無線基地局ｅＮＢとの間で設定されるＵ-ｐｌａｎｅベアラ、及び、無線基地局ｅＮＢと移動局ＵＥとの間で設定されるＵ-ｐｌａｎｅベアラを経由して伝送されるようになる。
【００２０】
すなわち、かかる場合、移動局ＵＥのユーザデータの伝送経路が、ゲートウェイ装置Ｓ-ＧＷ←→無線基地局ｅＮＢ←→無線基地局ＰｈＮＢ←→移動局ＵＥという経路から、ゲートウェイ装置Ｓ-ＧＷ←→無線基地局ｅＮＢ←→移動局ＵＥという経路に変更になる。
【００２１】
例えば、移動局ＵＥが、無線基地局ＰｈＮＢのカバレッジエリアから出る場合に、無線基地局ＰｈＮＢが、移動局ＵＥのユーザデータの伝送経路としてとして利用されなくなるものとする。
【００２２】
このように構成することによって、無線基地局ＰｈＮＢは、ゲートウェイ装置Ｓ-ＧＷとの間で論理パスを設定する必要がなくなり、無線基地局ｅＮＢとの間の接続さえ保証すればよいため、無線基地局ＰｈＮＢの処理負荷を低減することができる。
【００２３】
また、ゲートウェイ装置Ｓ-ＧＷが、スモールセルを識別する機能を具備する必要がなくなり、既存のアーキテクチャへのインパクトを最小限とすることができる。
【００２４】
図２に示すように、無線基地局ｅＮＢは、受信部１１と、記憶部１２と、管理部１３と、送信部１４とを具備している。
【００２５】
受信部１１は、ゲートウェイ装置Ｓ-ＧＷや移動管理ノードＭＭＥや無線基地局ＰｈＮＢや移動局ＵＥ等から各種信号を受信するように構成されている。
【００２６】
例えば、受信部１１は、ゲートウェイ装置Ｓ-ＧＷから、移動局ＵＥ宛ての下りユーザデータを受信したり、無線基地局ＰｈＮＢや移動局ＵＥから、移動局の上りユーザデータを受信したり、無線基地局ＰｈＮＢから、「Ｅ-ＲＡＢ  ｓｅｔｕｐ  ｒｅｓｐｏｎｓｅ」を受信したりするように構成されている。
【００２７】
記憶部１２は、受信部１１によって受信された移動局ＵＥ宛ての下りユーザデータや移動局の上りユーザデータについて、トンネリングプロトコルレイヤ又はＰＤＣＰ（Ｐａｃｋｅｔ  Ｄａｔａ  Ｃｏｎｖｅｒｇｅｎｃｅ  Ｐｒｏｔｏｃｏｌ）レイヤにおいて、バッファリングするように構成されている。
【００２８】
本実施形態では、トンネリングプロトコルとして、ＧＴＰ（ＧＰＲＳ  Ｔｕｎｎｅｌｌｉｎｇ  Ｐｒｏｔｏｃｏｌ）を用いる例について説明するが、かかるトンネリングプロトコルとして、ＰＭＩＰ（Ｐｒｏｘｙ  Ｍｏｂｉｌｅ  ＩＰ）等の他のトンネリングプロトコルが用いられていてもよい。
【００２９】
管理部１３は、Ｕ-ｐｌａｎｅベアラに係る情報や、セキュリティの設定情報や、ＰＤＣＰレイヤに係る情報（ＰＤＣＰ  Ｃｏｎｆｉｇ）や、転送モード及び送信状態に係る情報（ＲｏＨＣコンテキスト）や、シーケンス番号の管理情報等について管理するように構成されている。
【００３０】
ここで、Ｕ-ｐｌａｎｅベアラに係る情報には、「Ｅ-ＲＡＢ  ＩＤ」や「ＱｏＳ情報（Ｅ-ＲＡＢ  Ｌｅｖｅｌ  ＱｏＳ  Ｐａｒａｍｅｔｅｒｓ）」等が含まれる。
【００３１】
また、セキュリティの設定情報には、ＵＥのＳｅｃｕｒｉｔｙ対応能力（ＵＥ  Ｓｅｃｕｒｉｔｙ  Ｃａｐａｂｉｌｉｔｙ）や、ＡＳのＳｅｃｕｒｉｔｙに関する情報（ＡＳ  Ｓｅｃｕｒｉｔｙ  Ｉｎｆｏｒｍａｔｉｏｎ）等が含まれる。
【００３２】
また、ＰＤＣＰレイヤに係る情報には、シーケンス番号の最大長や、ヘッダ圧縮に係る情報や、「ＰＤＣＰ  Ｓｔａｔｕｓ  Ｒｅｐｏｒｔ」の要否等が含まれる。
【００３３】
さらに、ヘッダ圧縮に係る情報には、「ＭＡＸ_ＩＤ」や「ＰＲＯＦＩＬＥＳ」等が含まれる。
【００３４】
ここで、「ＭＡＸ_ＩＤ」は、フローを識別するためのコンテキストＩＤの最大値であり、「ＰＲＯＦＩＬＥＳ」は、どのヘッダを圧縮するかについて示す情報である。
【００３５】
送信部１４は、ゲートウェイ装置Ｓ-ＧＷや移動管理ノードＭＭＥや無線基地局ＰｈＮＢや移動局ＵＥ等に対して各種信号を送信するように構成されている。
【００３６】
例えば、送信部１４は、ゲートウェイ装置Ｓ-ＧＷに対して、移動局ＵＥの上りユーザデータを送信したり、無線基地局ＰｈＮＢや移動局ＵＥに対して、移動局宛ての下りユーザデータを送信したり、移動局ＵＥに対して、「ＲＲＣ  Ｃｏｎｎｅｃｔｉｏｎ  Ｒｅｃｏｎｆｉｇｕｒａｔｉｏｎ」を送信したり、無線基地局ＰｈＮＢに対して、「Ｅ-ＲＡＢ  ｓｅｔｕｐ  ｒｅｑｕｅｓｔ」を送信したりするように構成されている。
【００３７】
ここで、移動局ＵＥが無線基地局ｅＮＢ配下のマクロセルにおいて通信中である場合に、移動局ＵＥが存在する位置を含むカバレッジを有するスモールセルを管理する無線基地局ＰｈＮＢが移動局ＵＥのユーザデータの伝送経路として選択される場合、送信部１４が、無線基地局ＰｈＮＢに対して、「Ｅ-ＲＡＢ  ｓｅｔｕｐ  ｒｅｑｕｅｓｔ」を送信することによって、移動局ＵＥのユーザデータの伝送経路上への無線基地局ＰｈＮＢの追加処理を開始するように構成されている。
【００３８】
また、移動局ＵＥのユーザデータの伝送経路上に、無線基地局ｅＮＢ及び無線基地局ＰｈＮＢが含まれており、移動局ＵＥがスモールセルにおいて通信中である場合に、無線基地局ＰｈＮＢが移動局ＵＥのユーザデータの伝送経路として利用されなくなる場合、送信部１４が、無線基地局ＰｈＮＢに対して、「Ｅ-ＲＡＢ  ｒｅｌｅａｓｅ  ｒｅｑｕｅｓｔ」を送信することによって、移動局ＵＥのユーザデータの伝送経路からの無線基地局ＰｈＮＢの削除処理を開始するように構成されている。
【００３９】
以下、図３及び図４を参照して、本実施形態に係る移動通信システムの動作について説明する。
【００４０】
第１に、図４を参照して、本実施形態に係る移動通信システムにおいて、移動局ＵＥが無線基地局ｅＮＢ配下のマクロセルにおいて通信中である場合に、移動局ＵＥが存在する位置を含むカバレッジを有するスモールセルを管理する無線基地局ＰｈＮＢが移動局ＵＥのユーザデータの伝送経路として選択される場合の動作について説明する。
【００４１】
図３に示すように、無線基地局ｅＮＢは、移動局ＵＥとの間でＤＲＢ（Ｄａｔａ  Ｒａｄｉｏ  Ｂｅａｒｅｒ）が設定されている状態で、無線基地局ＰｈＮＢが移動局ＵＥのユーザデータの伝送経路として選択されることを検出すると、移動局ＵＥに対する移動局ＵＥ宛ての下りユーザデータの送信を停止し、ステップＳ１００１において、無線基地局ＰｈＮＢに対して、無線基地局ｅＮＢと無線基地局ＰｈＮＢとの間のＵ-ｐｌａｎｅベアラを生成することを要求する「Ｅ-ＲＡＢ  ｓｅｔｕｐ  ｒｅｑｕｅｓｔ」を送信する。
【００４２】
ここで、無線基地局ｅＮＢは、「Ｅ-ＲＡＢ  ｓｅｔｕｐ  ｒｅｑｕｅｓｔ」によって、無線基地局ＰｈＮＢに対して、Ｕ-ｐｌａｎｅベアラに係る情報等を通知する。
【００４３】
無線基地局ＰｈＮＢは、かかる「Ｅ-ＲＡＢ  ｓｅｔｕｐ  ｒｅｑｕｅｓｔ」に応じて、無線基地局ｅＮＢと無線基地局ＰｈＮＢとの間のＵ-ｐｌａｎｅベアラを生成すると共に、セキュリティの設定情報やＰＤＣＰレイヤに係る情報（ＰＤＣＰ  Ｃｏｎｆｉｇ）や転送モード及び送信状態に係る情報（ＲｏＨＣコンテキスト）等についてリセットし、ステップＳ１００２において、無線基地局ｅＮＢに対して、「Ｅ-ＲＡＢ  ｓｅｔｕｐ  ｒｅｓｐｏｎｓｅ」を送信する。
【００４４】
ステップＳ１００３において、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ」を送信する。
【００４５】
移動局ＵＥは、かかる「ＲＲＣ  Ｃｏｎｎｅｃｔｉｏｎ  Ｒｅｃｏｎｆｉｇｕｒａｔｉｏｎ」の受信を契機に、無線基地局ｅＮＢに対する上りユーザデータの送信を停止する。
【００４６】
無線基地局ｅＮＢは、無線基地局ＰｈＮＢに対して、ステップＳ１００４において、「ＳＮ  ＳＴＡＴＵＳ  ＴＲＡＮＳＦＥＲ」によって、上りリンク及び下りリンクにおけるシーケンス番号の管理情報（次に使用可能なシーケンス番号等）を通知し、ステップＳ１００５において、バッファリングしている上りユーザデータ及び下りユーザデータを転送する。
【００４７】
ここで、無線基地局ｅＮＢは、無線基地局ＰｈＮＢに対して、「ＤＲＢ  ＲＬＣ  ＡＭ」や「ＤＲＢ  ＲＬＣ  ＵＭ」や「ＳＲＢ（Ｓｉｇｎａｌｉｎｇ  Ｒａｄｉｏ  Ｂｅａｒｅｒ）」の全て又は一部についてのシーケンス番号の管理情報について通知してもよい。
【００４８】
或いは、無線基地局ｅＮＢは、無線基地局ＰｈＮＢに対して、「ＳＮ  ＳＴＡＴＵＳ  ＴＲＡＮＳＦＥＲ」の代わりに、「Ｅ-ＲＡＢ  Ｒｅｑｅｓｔ」を用いて、上りリンク及び下りリンクにおける受信ステータスを送信することによって、上述のシーケンス番号の管理情報を通知してもよい。
【００４９】
なお、かかるシーケンス番号の管理情報は、ステップＳ１００１における「Ｅ-ＲＡＢ  ｓｅｔｕｐ  ｒｅｑｕｅｓｔ」によって通知されてもよい。
【００５０】
ステップＳ１００６において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５１】
無線基地局ｅＮＢは、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」に応じて、Ｕ-ｐｌａｎｅベアラに係る情報やセキュリティの設定情報やＰＤＣＰレイヤに係る情報（ＰＤＣＰ  Ｃｏｎｆｉｇ）や転送モード及び送信状態に係る情報（ＲｏＨＣコンテキスト）等の管理を停止する。
【００５２】
ここで、無線基地局ＰｈＮＢと移動局ＵＥとの間でＤＲＢが設定され、移動局ＵＥから無線基地局ＰｈＮＢへの移動局ＵＥの上りユーザデータの送信が再開されると共に、無線基地局ＰｈＮＢから移動局ＵＥへの移動局ＵＥ宛ての下りユーザデータの送信が再開される。
【００５３】
第２に、図４を参照して、本実施形態に係る移動通信システムにおいて、移動局ＵＥが無線基地局ＰｈＮＢ配下のスモールセルにおいて通信中である場合に、かかる無線基地局ＰｈＮＢが移動局ＵＥのユーザデータの伝送経路として利用されなくなる場合の動作について説明する。
【００５４】
図４に示すように、無線基地局ｅＮＢは、無線基地局ＰｈＮＢと移動局ＵＥとの間でＤＲＢが設定されている状態で、無線基地局ＰｈＮＢが移動局ＵＥのユーザデータの伝送経路として利用されなくなることを検出すると、無線基地局ＰｈＮＢに対する移動局ＵＥ宛ての下りユーザデータの送信を停止し、ステップＳ２００１において、無線基地局ＰｈＮＢに対して、無線基地局ｅＮＢと無線基地局ＰｈＮＢとの間のＵ-ｐｌａｎｅベアラを解放することを要求する「Ｅ-ＲＡＢ  ｒｅｌｅａｓｅ  ｒｅｑｕｅｓｔ」を送信する。
【００５５】
無線基地局ＰｈＮＢは、かかる「Ｅ-ＲＡＢ  ｒｅｌｅａｓｅ  ｒｅｑｕｅｓｔ」に応じて、無線基地局ｅＮＢと無線基地局ＰｈＮＢとの間のＵ-ｐｌａｎｅベアラを解放すると共に、ステップＳ２００２において、無線基地局ｅＮＢに対して、「Ｅ-ＲＡＢ  ｒｅｌｅａｓｅ  ｒｅｓｐｏｎｓｅ」によって、Ｕ-ｐｌａｎｅベアラに係る情報等を通知する。
【００５６】
無線基地局ｅＮＢは、Ｕ-ｐｌａｎｅベアラに係る情報等の管理を開始し、セキュリティの設定情報やＰＤＣＰレイヤに係る情報（ＰＤＣＰ  Ｃｏｎｆｉｇ）や転送モード及び送信状態に係る情報（ＲｏＨＣコンテキスト）等についてリセットし、ステップＳ２００３において、移動局ＵＥに対して、「ＲＲＣ  Ｃｏｎｎｅｃｔｉｏｎ  Ｒｅｃｏｎｆｉｇｕｒａｔｉｏｎ」を送信する。
【００５７】
移動局ＵＥは、かかる「ＲＲＣ  Ｃｏｎｎｅｃｔｉｏｎ  Ｒｅｃｏｎｆｉｇｕｒａｔｉｏｎ」の受信を契機に、無線基地局ＰｈＮＢに対する上りユーザデータの送信を停止する。
【００５８】
無線基地局ＰｈＮＢは、無線基地局ｅＮＢに対して、ステップＳ２００４において、「ＳＮ  ＳＴＡＴＵＳ  ＴＲＡＮＳＦＥＲ」によって、上りリンク及び下りリンクにおけるシーケンス番号の管理情報（次に使用可能なシーケンス番号等）を通知し、移動局ＵＥに対する移動局宛ての下りユーザデータの送信を停止し、ステップＳ２００５において、バッファリングしている上りユーザデータ及び下りユーザデータを転送し、Ｕ-ｐｌａｎｅベアラに係る情報やセキュリティの設定情報やＰＤＣＰレイヤに係る情報（ＰＤＣＰ  Ｃｏｎｆｉｇ）や転送モード及び送信状態に係る情報（ＲｏＨＣコンテキスト）等の管理を停止する。
【００５９】
ここで、無線基地局ＰｈＮＢは、無線基地局ｅＮＢに対して、「ＤＲＢ  ＲＬＣ  ＡＭ」や「ＤＲＢ  ＲＬＣ  ＵＭ」や「ＳＲＢ（Ｓｉｇｎａｌｉｎｇ  Ｒａｄｉｏ  Ｂｅａｒｅｒ）」の全て又は一部についてのシーケンス番号の管理情報について通知してもよい。
【００６０】
或いは、無線基地局ＰｈＮＢは、無線基地局ｅＮＢに対して、「ＳＮ  ＳＴＡＴＵＳ  ＴＲＡＮＳＦＥＲ」の代わりに、「Ｅ-ＲＡＢ  ｒｅｌｅａｓｅ  Ｒｅｑｅｓｔ」を用いて、上りリンク及び下りリンクにおける受信ステータスを送信することによって、上述のシーケンス番号の管理情報を通知してもよい。
【００６１】
なお、かかるシーケンス番号の管理情報は、ステップＳ２００２における「Ｅ-ＲＡＢ  ｒｅｌｅａｓｅ  ｒｅｓｐｏｎｓｅ」によって通知されてもよい。
【００６２】
ステップＳ２００６において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６３】
ここで、無線基地局ｅＮＢと移動局ＵＥとの間でＤＲＢが設定され、移動局ＵＥから無線基地局ｅＮＢへの移動局ＵＥの上りユーザデータの送信が再開されると共に、無線基地局ｅＮＢから移動局ＵＥへの移動局ＵＥ宛ての下りユーザデータの送信が再開される。
【００６４】
以上に述べた本実施形態の特徴は、以下のように表現されていてもよい。
【００６５】
本実施形態の第１の特徴は、移動通信方法であって、移動局ＵＥが無線基地局ｅＮＢ（第１無線基地局）配下のマクロセルにおいて通信中である場合に、移動局ＵＥが存在する位置を含むカバレッジを有するスモールセルを管理する無線基地局ＰｈＮＢ（第２無線基地局）が移動局ＵＥのユーザデータの伝送経路として選択される場合、無線基地局ｅＮＢが、移動局ＵＥのユーザデータの伝送経路上への無線基地局ＰｈＮＢの追加処理を開始する工程と、無線基地局ｅＮＢが、かかる追加処理において、無線基地局ＰｈＮＢに対して、シーケンス番号の管理情報を通知する工程と、無線基地局ＰｈＮＢが、かかる追加処理において、ヘッダ圧縮に係る情報及びセキュリティの設定情報をリセットする工程とを有することを要旨とする。
【００６６】
かかる構成によれば、無線基地局ＰｈＮＢの追加時に、無線基地局ｅＮＢから無線基地局ＰｈＮＢに対してシーケンス番号の管理情報が通知され、ヘッダ圧縮に係る情報及びセキュリティの設定情報については無線基地局ＰｈＮＢにおいてリセットされるため、無線基地局ｅＮＢ及び無線基地局ＰｈＮＢの機能を複雑にすること無く、データロス無しで移動局ＵＥの伝送経路を変更することができる。
【００６７】
本実施形態の第１の特徴において、無線基地局ｅＮＢは、上述の追加処理を開始する際に、移動局ＵＥ宛ての下りユーザデータの移動局ＵＥに対する送信を停止し、移動局ＵＥは、無線基地局ｅＮＢからの「ＲＲＣ  Ｃｏｎｎｅｃｔｉｏｎ  Ｒｅｃｏｎｆｉｇｕｒａｔｉｏｎ（コネクション設定信号）」の受信に応じて、無線基地局ｅＮＢに対する上りユーザデータの送信を停止してもよい。
【００６８】
かかる構成によれば、無線基地局ＰｈＮＢの追加時に、データロス無しで移動局ＵＥのユーザデータの伝送経路を変更することができる。
【００６９】
本実施形態の第２の特徴は、移動通信方法であって、移動局ＵＥのユーザデータの伝送経路上に、マクロセルを管理する無線基地局ｅＮＢ及び移動局ＵＥが存在する位置を含むカバレッジを有するスモールセルを管理する無線基地局ＰｈＮＢが含まれており、移動局ＵＥがスモールセルにおいて通信中である場合に、無線基地局ＰｈＮＢが移動局ＵＥのユーザデータの伝送経路として利用されなくなる場合、無線基地局ｅＮＢが、移動局ＵＥのユーザデータの伝送経路からの無線基地局ＰｈＮＢの削除処理を開始する工程と、無線基地局ＰｈＮＢが、かかる削除処理において、無線基地局ｅＮＢに対して、シーケンス番号の管理情報を通知する工程と、無線基地局ｅＮＢが、かかる削除処理において、ヘッダ圧縮に係る情報及びセキュリティの設定情報をリセットする工程とを有することを要旨とする。
【００７０】
かかる構成によれば、無線基地局ＰｈＮＢの削除時に、無線基地局ＰｈＮＢから無線基地局ｅＮＢに対してシーケンス番号の管理情報が通知され、ヘッダ圧縮に係る情報及びセキュリティの設定情報については無線基地局ｅＮＢにおいてリセットされるため、無線基地局ｅＮＢ及び無線基地局ＰｈＮＢの機能を複雑にすること無く、データロス無しで移動局ＵＥのユーザデータの伝送経路を変更することができる。
【００７１】
本実施形態の第２の特徴において、無線基地局ｅＮＢは、上述の削除処理を開始する際に、移動局ＵＥ宛ての下りユーザデータの無線基地局ＰｈＮＢに対する転送を停止し、移動局ＵＥは、無線基地局ｅＮＢからの「ＲＲＣ  Ｃｏｎｎｅｃｔｉｏｎ  Ｒｅｃｏｎｆｉｇｕｒａｔｉｏｎ」の受信に応じて、無線基地局ＰｈＮＢに対する上りユーザデータの送信を停止してもよい。
【００７２】
かかる構成によれば、無線基地局ｅＮＢの追加時に、データロス無しで移動局ＵＥの伝送経路を変更することができる。
【００７３】
なお、上述の移動局ＵＥや無線基地局ｅＮＢ/ＰｈＮＢや移動管理ノードＭＭＥやゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＰｈＮＢや移動管理ノードＭＭＥやゲートウェイ装置Ｓ-ＧＷ内に設けられていてもよい。また、かかる記憶媒体及びプロセッサは、ディスクリートコンポーネントとして移動局ＵＥや無線基地局ｅＮＢ/ＰｈＮＢや移動管理ノードＭＭＥやゲートウェイ装置Ｓ-ＧＷ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
Ｓ-ＧＷ…ゲートウェイ装置
ＭＭＥ…移動管理ノード
ｅＮＢ/ＰｈＮＢ…無線基地局
ＵＥ…移動局
１１…受信部
１２…記憶部
１３…管理部
１４…送信部
【図１】
2014068128.tif 000003
【図２】
2014068128.tif 000004
【図３】
2014068128.tif 000005
【図４】
2014068128.tif 000006